(57)【要約】　　　（修正有）【課題】簡単な構成で部品点数を削減し、かつ従来のディスク装置と同様の動作、すなわちカートリッジの保持および蹴り出しの動作を実現できるディスク装置を提供する。【解決手段】カートリッジ１４１の挿入時、蹴り上げレバー１２２はロックアーム部１１６に当接されることにより弾性変形するので、ロックアーム部１１６が蹴り上げレバー１２２と接触するにも関わらず、ロック爪１１８とロックプレート１２０とは係合することができる。また、ロックアーム部１１６を蹴り上げレバー１２２で押し上げることにより、ロック爪１１８とロックプレート１２０との係合状態を解除することができる。【選択図】　図２
2004062983.tif 000002
【特許請求の範囲】
【請求項１】
カートリッジに収納されたディスクを駆動するディスク駆動手段を設けた基台と、
カートリッジを着脱するべく前記基台より回動して開いた状態である第１の位置、およびカートリッジを前記ディスク駆動手段に装着した第２の位置に移動可能なカートリッジ保持手段と、
前記カートリッジ保持手段に設けられた係止手段と、
カートリッジの排出方向および収納方向に回動するよう前記カートリッジ保持手段に軸承され、カートリッジの排出方向にバネ手段により付勢され、前記バネ手段の付勢力によりカートリッジが前記カートリッジ保持手段から排出された第１の状態、および前記バネ手段の付勢力に抗してカートリッジが前記カートリッジ保持手段に収納された第２の状態に可変のカートリッジ蹴り出し手段と、
前記カートリッジ蹴り出し手段に設けられ、前記カートリッジ蹴り出し手段が第２の状態のとき前記係止手段と係合する係合保持手段と、
前記カートリッジ保持手段の回動と連動し、前記係合保持手段の可動方向に対して弾性を有する解除手段と、を具備し、
前記係合保持手段は前記解除手段の可動方向に対して弾性を有し、
前記バネ手段に抗して前記カートリッジ蹴り出し手段が第１の状態から第２の状態へ移動するとき、前記解除手段は前記係合保持手段に当接されることにより弾性変形し、
前記カートリッジ保持手段が第１の位置から第２の位置へ移動するとき、前記解除手段は、前記係合保持手段による当接が解除されることにより、弾性変形した状態から復元し、
前記カートリッジ保持手段が回動して第２の位置から第１の位置に戻るとき、前記解除手段が前記カートリッジ保持手段の回動と連動することにより前記係合保持手段と前記係止手段との係合を解除し、前記バネ手段の付勢力によってカートリッジを前記カートリッジ保持手段より排出することを特徴とするディスク装置。
【請求項２】
前記係合保持手段および前記解除手段は、板バネで構成されていることを特徴とする請求項１記載のディスク装置。
【発明の詳細な説明】
【０００１】
【発明の属する技術分野】
本発明は、記録媒体としてカートリッジに収納されたディスクに記録または再生するディスク装置に関するものである。
【０００２】
【従来の技術】
近年、ディスク装置は部品点数の削減による合理化が望まれている。この合理化によりディスク装置の小型化および低コスト化が図れるためである。
【０００３】
以下に従来のディスク装置について説明する。
【０００４】
従来、ディスク装置は特開平７−９８９１５号公報に記載されたものが知られている。以下、従来のディスク装置について、特開平７−９８９１５号公報および図１１を参照しながら説明する。
【０００５】
図１１は従来のディスク装置の状態遷移を示すブロック図である。
【０００６】
まず、カートリッジホルダー開放状態Ｓ１は、カートリッジホルダー１がシャーシ２から開放された状態であり、カートリッジ４１を着脱可能な状態である。カートリッジホルダー開放状態Ｓ１において、カートリッジ蹴り出しレバー１０は蹴り出しロックレバー２６による係止状態から解除された状態である。
【０００７】
次に、カートリッジロック状態Ｓ２は、カートリッジ４１がカートリッジホルダー１に収納されてロックされている状態である。カートリッジロック状態Ｓ２において、カートリッジ蹴り出しレバー１０は蹴り出しロックレバー２６により係止されている。なお、蹴り出しロックレバー２６の動作を実現するために、蹴り出しロックレバーバネ２７が設けられている。
【０００８】
次に、カートリッジホルダー閉状態Ｓ３は、カートリッジホルダー１を再生位置に閉じた状態である。カートリッジホルダー閉状態Ｓ３において、カートリッジ蹴り出しレバー１０はカートリッジロック状態Ｓ２と同様に係止された状態である。
【０００９】
次に、カートリッジ蹴り出し動作Ｓ４は、カートリッジホルダー１を開放し始めて、開放が完了するまでの動作状態である。カートリッジ蹴り出し動作Ｓ４において、カートリッジ蹴り出しレバー１０は、係止された状態から解除されて、カートリッジ４１を蹴り出すように動作する。なお、カートリッジ蹴り出しレバー１０の排出動作を実現するために、蹴り出しロックレバー２６、蹴り出しロック解除レバー２８および蹴り出しロック解除レバーバネ２９が設けられている。
【００１０】
以上のように、従来のディスク装置は、カートリッジホルダー１に収納されたカートリッジ４１を排出するための構成として、カートリッジ蹴り出しレバー１０、蹴り出しロックレバー２６、蹴り出しロック解除レバー２８、蹴り出しロックレバーバネ２７および蹴り出しロック解除レバーバネ２９が設けられており、この構成により図１１に示す従来のディスク装置の動作を実現している。
【００１１】
【発明が解決しようとする課題】
しかしながら従来のディスク装置におけるカートリッジホルダー１に収納されたカートリッジ４１を排出するための構成は、部品点数が多く合理的でないという問題点があった。また、部品点数が多いために、それらの各部品の取り付けについて信頼性が低いという問題点も有った。
【００１２】
そこで、本発明は従来の問題点を解決するもので、カートリッジホルダー１に収納されたカートリッジ４１を排出するという動作を保ちつつ、ディスク装置に設けられる部品の点数を削減することを目的とするものである。また、部品点数の削減を通じて、ディスク装置の低コスト化およびディスク装置の動作の信頼性の向上を図ることを目的とするものである。
【００１３】
【課題を解決するための手段】
この目的を達成するために本発明のディスク装置は、カートリッジに収納されたディスクを駆動するディスク駆動手段を設けた基台と、カートリッジを着脱するべく基台より回動して開いた状態である第１の位置、およびカートリッジをディスク駆動手段に装着した第２の位置に移動可能なカートリッジ保持手段と、カートリッジ保持手段に設けられた係止手段と、カートリッジの排出方向および収納方向に回動するようカートリッジ保持手段に軸承され、カートリッジの排出方向にバネ手段により付勢され、バネ手段の付勢力によりカートリッジがカートリッジ保持手段から排出された第１の状態、およびバネ手段の付勢力に抗してカートリッジがカートリッジ保持手段に収納された第２の状態に可変のカートリッジ蹴り出し手段と、カートリッジ蹴り出し手段に設けられ、カートリッジ蹴り出し手段が第２の状態のとき係止手段と係合する係合保持手段と、カートリッジ保持手段の回動と連動し、係合保持手段の可動方向に対して弾性を有する解除手段と、を具備し、係合保持手段は解除手段の可動方向に対して弾性を有し、バネ手段に抗してカートリッジ蹴り出し手段が第１の状態から第２の状態へ移動するとき、解除手段は係合保持手段に当接されることにより弾性変形し、カートリッジ保持手段が第１の位置から第２の位置へ移動するとき、解除手段は、係合保持手段による当接が解除されることにより、弾性変形した状態から復元し、カートリッジ保持手段が回動して第２の位置から第１の位置に戻るとき、解除手段がカートリッジ保持手段の回動と連動することにより係合保持手段と係止手段との係合を解除し、バネ手段の付勢力によってカートリッジをカートリッジ保持手段より排出することを特徴としたものである。
【００１４】
この構成により、カートリッジ保持手段に収納されたカートリッジを排出するという動作を保ちつつ、ディスク装置に設けられる部品の点数を削減できる。さらに、部品点数の削減を通じて、ディスク装置の低コスト化およびディスク装置の動作の信頼性向上を図ることができる。
【００１５】
【発明の実施の形態】
本発明の請求項１に記載の発明は、カートリッジに収納されたディスクを駆動するディスク駆動手段を設けた基台と、カートリッジを着脱するべく基台より回動して開いた状態である第１の位置、およびカートリッジをディスク駆動手段に装着した第２の位置に移動可能なカートリッジ保持手段と、カートリッジ保持手段に設けられた係止手段と、カートリッジの排出方向および収納方向に回動するようカートリッジ保持手段に軸承され、カートリッジの排出方向にバネ手段により付勢され、バネ手段の付勢力によりカートリッジがカートリッジ保持手段から排出された第１の状態、およびバネ手段の付勢力に抗してカートリッジがカートリッジ保持手段に収納された第２の状態に可変のカートリッジ蹴り出し手段と、カートリッジ蹴り出し手段に設けられ、カートリッジ蹴り出し手段が第２の状態のとき係止手段と係合する係合保持手段と、カートリッジ保持手段の回動と連動し、係合保持手段の可動方向に対して弾性を有する解除手段と、を具備し、係合保持手段は解除手段の可動方向に対して弾性を有し、バネ手段に抗してカートリッジ蹴り出し手段が第１の状態から第２の状態へ移動するとき、解除手段は係合保持手段に当接されることにより弾性変形し、カートリッジ保持手段が第１の位置から第２の位置へ移動するとき、解除手段は、係合保持手段による当接が解除されることにより、弾性変形した状態から復元し、カートリッジ保持手段が回動して第２の位置から第１の位置に戻るとき、解除手段がカートリッジ保持手段の回動と連動することにより係合保持手段と係止手段との係合を解除し、バネ手段の付勢力によってカートリッジをカートリッジ保持手段より排出することを特徴としたものであり、ディスク装置に設けられる部品の点数を削減でき、ディスク装置の動作の信頼性向上およびディスク装置の低コスト化を図ることができる。
【００１６】
請求項２に記載の発明は、請求項１に記載の発明であって、係合保持手段および解除手段は、板バネで構成されていることを特徴としたものであり、係合保持手段および解除手段を板バネで構成するため、それらの手段に付勢力を付けるために別途機構を設ける必要がなく、その分だけ部品点数を削減することができる。
【００１７】
以下、本発明の実施の形態について、図１乃至図１１を用いて説明する。
【００１８】
（実施の形態１）
図１は、図１１に示すカートリッジホルダー開放状態Ｓ１での、本発明の実施の形態１におけるディスク装置を示す斜視図である。同様に、図２は平面図、図３は正面図、図４は側面図である。
【００１９】
また、図５は、図１１に示すカートリッジホルダー閉状態Ｓ３での、本発明の実施の形態１におけるディスク装置を示す斜視図である。同様に、図６は平面図、図７は正面図、図８は側面図である。
【００２０】
また、図９は本発明の実施の形態１におけるディスク装置の部品であるカートリッジホルダー１０１、蹴り出しレバー１１０、蹴り出しバネ１１２および蹴り上げレバー１２２を示す分解斜視図である。
【００２１】
また、図１０は、図１１の各状態における、蹴り出しレバー１１０、蹴り上げレバー１２２およびロックプレート１２０のそれぞれの位置関係を示す模式図である。より詳細には、図１０（ａ）はカートリッジホルダー開放状態Ｓ１での、図１０（ｂ）はカートリッジロック状態Ｓ２での、図１０（ｃ）はカートリッジホルダー閉状態Ｓ３での、図１０（ｄ）はカートリッジ蹴り出し動作Ｓ４での蹴り出しレバー１１０、蹴り上げレバー１２２およびロックプレート１２０のそれぞれの位置関係を示す模式図である。
【００２２】
図１乃至図１０に示すように、本発明の実施の形態１に係るディスク装置は、記録媒体としての光ディスク等を収納したカートリッジ１４１を保持するカートリッジ保持手段としてのカートリッジホルダー１０１と、光ディスク等を駆動するモータ、ピックアップ等で構成されたディスク駆動手段としてのディスク駆動機構部（図示省略）を搭載する基台としてのシャーシ１０２と、カートリッジ蹴り出し手段としての蹴り出しレバー１１０と、解除手段としての蹴り上げレバー１２２と、バネ手段としての蹴り出しバネ１１２と、その他ビス１２４等の部材とから構成されている。
【００２３】
図１において、カートリッジホルダー１０１は２ヶ所の支点１０３ａおよび１０３ｂを中心に、シャーシ１０２に対して矢印Ｈ、Ｇ方向に回動自在に支持されている。
【００２４】
ここで、カートリッジホルダー１０１が矢印Ｈ方向に開いた図１乃至図４に示す状態で、カートリッジ１４１はカートリッジホルダー１０１に対して矢印Ｌ１　・Ｌ２　方向に着脱が可能となっている。また、このようにカートリッジ１４１を着脱すべくシャーシ１０２に対して矢印Ｈ方向に開いたカートリッジホルダー１０１の位置を第１の位置という。また、カートリッジホルダー１０１が第１の位置にあって、カートリッジ１４１がカートリッジホルダー１０１に収納されていない状態をカートリッジホルダー開放状態Ｓ１という。
【００２５】
また、図１において、カートリッジホルダー１０１を第１の位置にし、カートリッジホルダー１０１内にカートリッジ１４１を矢印Ｌ１方向に押し込んで収納した状態をカートリッジロック状態Ｓ２という。
【００２６】
また、図５乃至図８に示すように、カートリッジ１４１をカートリッジホルダー１０１に収納した状態で、カートリッジホルダー１０１が矢印Ｇ方向に回動して、カートリッジ１４１がディスク駆動機構部（図示省略）に装着されたときの、カートリッジホルダー１０１のシャーシ１０２に対する位置を第２の位置という。また、カートリッジホルダー１０１が第２の位置にあり、かつカートリッジ１４１がカートリッジホルダー１０１に収納されてディスク駆動機構部（図示省略）に装着された状態をカートリッジホルダー閉状態Ｓ３という。このカートリッジホルダー閉状態Ｓ３で、カートリッジ１４１に内蔵された光ディスク等の記録媒体は、記録または再生が可能な状態となっている。
【００２７】
次に、カートリッジホルダー１０１、蹴り出しレバー１１０、蹴り上げレバー１２２および蹴り出しバネ１１２の構成を分解斜視図９を用いて説明する。
【００２８】
まず、カートリッジホルダー１０１の矢印Ｌ１方向端部側上面には、カートリッジ蹴り出し手段としての蹴り出しレバー１１０が設けられている。具体的には、蹴り出しレバー１１０は、穴部１０５がカートリッジホルダー１０１に突き出して形成されたダボ１０４に挿入されると共に爪部１０６がガイド部１０８に係合して、ダボ１０４と穴部１０５とを中心にして、矢印Ｉ、Ｊ方向に回動自在に保持されている。すなわち、蹴り出しレバー１１０は、カートリッジ１４１の排出方向（矢印Ｉ方向）および収納方向（矢印Ｊ方向）に回動するように、カートリッジホルダー１０１に軸承されている。
【００２９】
ここで、蹴り出しバネ１１２は、一方の端部１１２ａがカートリッジホルダー１０１の矢印Ｅ方向面に形成された第１のバネ止め部１０７により係止され、また他方の端部１１２ｂが蹴り出しレバー１１０に形成された第２のバネ止め部１１５により係止されることにより、蹴り出しレバー１１０を常に矢印Ｉ方向に付勢している。この蹴り出しレバー１１０および蹴り出しバネ１１２の構成により、蹴り出しレバー１１０の先端の蹴り出し部１１４がカートリッジホルダー１０１に収納されたカートリッジ１４１を操作者による取り出し位置まで排出するよう作用する。ただし、ガイド部１０８の矢印Ｉ方向終端にはストッパー部１０９が設けられていて、蹴り出しレバー１１０が回動して爪部１０６がストッパー部１０９に当接すると、蹴り出しレバー１１０の回動が停止するよう設定されている。
【００３０】
なお、蹴り出しバネ１１２の付勢力によりカートリッジ１４１がカートリッジホルダー１０１から排出されたときの蹴り出しレバー１１０の状態を第１の状態といい、蹴り出しバネ１１２の付勢力に抗してカートリッジ１４１がカートリッジホルダー１０１に収納されたときの蹴り出しレバー１１０の状態を第２の状態という。
【００３１】
また、蹴り出しレバー１１０の片端部にはロックアーム部１１６が形成されている。さらに、ロックアーム部１１６の先端にはロック爪１１８が設けられ、ロックアーム部１１６とロック爪１１８とにより係合保持手段を構成している。なお、ロックアーム部１１６は弾性体である板バネで構成されている。また、ロック爪１１８は、蹴り出しレバー１１０が第２の状態のときに、カートリッジホルダー１０１に形成された係止手段としてのロックプレート１２０と係合し、その係合により、蹴り出しバネ１１２の付勢力に抗して蹴り出しレバー１１０を保持するよう作用する。
【００３２】
次に、カートリッジホルダー１０１のＡ方向側面には、解除手段としての蹴り上げレバー１２２が、図１および図５に示すように、ビス１２４によってシャーシ１０２の側面に回動自在に保持されている。さらに、蹴り上げレバー１２２には、係合穴部１２５が設けられ、その係合穴部１２５がカートリッジホルダー１０１の係合突起部１２６と係合している。この蹴り上げレバー１２２、カートリッジホルダー１０１およびシャーシ１０２からなる構成により、カートリッジホルダー１０１がシャーシ１０２に対して矢印Ｇ方向に回動するとき、蹴り上げレバー１２２はシャーシ１０２に対して矢印Ｍ方向に回動し、反対に、カートリッジホルダー１０１がシャーシ１０２に対して矢印Ｈ方向に回動するとき、蹴り上げレバー１２２はシャーシ１０２に対して矢印Ｎ方向に回動する。
【００３３】
また、蹴り上げレバー１２２の先端の蹴り上げ部１３０は、図１から図４に示すカートリッジホルダー開放状態Ｓ１およびカートリッジロック状態Ｓ２では、蹴り出しレバー１１０のロックアーム部１１６よりも矢印Ｅ方向に位置し、図５乃至８に示すカートリッジホルダー閉状態Ｓ３では、蹴り出しレバー１１０のロックアーム部１１６の下部である矢印Ｆ方向に位置するよう構成されている。なお、蹴り上げレバー１２２は、弾性体である板バネで構成されている。
【００３４】
以上のように構成されたディスク装置について、カートリッジ開放状態Ｓ１を起点として、カートリッジ１４１をカートリッジホルダー１０１内に収納し（カートリッジロック状態Ｓ２）、カートリッジ１４１を記録再生可能な状態（カートリッジ閉状態Ｓ３）にした後、カートリッジ１４１をカートリッジホルダー１０１から排出してカートリッジ開放状態Ｓ１に戻るまでの本発明の実施の形態１に係るディスク装置の動作を説明する。
【００３５】
まず、本発明の実施の形態１に係るディスク装置をカートリッジ開放状態Ｓ１にする。すなわち、カートリッジホルダー１０１を第１の位置に移動させ、カートリッジホルダー１０１内にカートリッジ１４１を挿入せず、蹴り出しレバー１１０を第１の状態にする。
【００３６】
ここで、カートリッジ開放状態Ｓ１では、図１０（ａ）に示すように、ロックアーム部１１６の矢印Ｆ方向面とロックプレート１２０の矢印Ｅ方向面とは矢印Ｅ方向について概ね同一位置に位置し、蹴り上げ部１３０はロックアーム部１１６よりも矢印Ｅ方向に位置する。
【００３７】
次に、カートリッジ開放状態Ｓ１のディスク装置に対して、カートリッジ１４１をカートリッジホルダー１０１に図１に示す矢印Ｌ１方向に挿入すると、カートリッジ１４１の前縁部が蹴り出しレバー１１０の蹴り出し部１１４を蹴り出しバネ１１２の付勢力に抗して押し込むことにより、蹴り出しレバー１１０が矢印Ｊ方向に回動する。
【００３８】
ここで、蹴り出しレバー１１０が矢印Ｊ方向に回動すると、ロックアーム部１１６およびロック爪１１８は図１０（ａ）に示す状態から矢印Ａ方向に移動し、ロック爪１１８がロックプレート１２０に接触する。その後さらに、蹴り出しレバー１１０が矢印Ｊ方向に回動すると、ロック爪１１８がロックプレート１２０に乗り上げる。このとき、ロックアーム部１１６は矢印Ｅ方向に弾性変形し、矢印Ｆ方向に弾性力を有することとなる。そして、蹴り出しレバー１１０が矢印Ｊ方向にさらに回動すると、ロックアーム部１１６の端部が蹴り上げレバー１２２に当接し、ロックアーム部１１６の当接により蹴り上げレバー１２２が弾性変形する。すなわち、蹴り出しバネ１１２に抗して蹴り出しレバー１１０が第１の状態から第２の状態へ移動するとき、蹴り上げレバー１２２はロックアーム部１１１６に当接されることにより弾性変形する。さらに蹴り出しレバー１１０が矢印Ｊ方向に回動すると、ロック爪１１８がロックプレート１２０を乗り越える。すると、ロックアーム部１１６が矢印Ｆ方向に弾性力を有するために、ロック爪１１８が矢印Ｆ方向に移動し、ロック爪１１８とロックプレート１２０とが係合する。
【００３９】
以上の動作の結果として、ロック爪１１８とロックプレート１２０との係合により蹴り出しレバー１１０が係止されるため、カートリッジ１４１は、カートリッジホルダー１０１から排出されず、カートリッジホルダー１０１内に保持された状態となり、本実施の形態１に係るディスク装置はカートリッジロック状態Ｓ２となる。すなわち、カートリッジホルダー１０１が第１の位置であり、蹴り出しレバー１１０が第２の状態となる。
【００４０】
なお、ユーザーは、ロック爪１１８とロックプレート１２０とが係合したのを確認してから、カートリッジ１４１のカートリッジホルダー１０１への押し込みを終了するようにする。仮に、ロック爪１１８とロックプレート１２０とが係合する前に、カートリッジ１４１のカートリッジホルダー１０１への押し込みを終了すると、カートリッジ１４１はカートリッジホルダー１０１内で保持されずに蹴り出しバネ１１２の付勢力により排出されてしまうからである。
【００４１】
また、カートリッジロック状態Ｓ２においては、図１０（ｂ）に示すように、蹴り出しレバー１１０を係止するために、ロック爪１１８とロックプレート１２０とは係合した位置関係となる。
【００４２】
次に、カートリッジロック状態Ｓ２から、カートリッジ１４１をカートリッジホルダー１０１内に保持しつつ、カートリッジホルダー１０１を図１に示す矢印Ｆ方向に押さえると、カートリッジホルダー１０１は、矢印Ｇ方向に回動して、図５乃至８に示すディスク装置の使用状態でシャーシ１０２にロック部材（図示せず）によってロックされる。一方で、蹴り上げレバー１２２はカートリッジホルダー１０１の矢印Ｇ方向の回動に連動して矢印Ｍ方向に回動する。
【００４３】
以下、蹴り上げレバー１２２の回動時のロックアーム部１１６、ロック爪１１８、ロックプレート１２０および蹴り上げレバー１２２の動作について、図１０（ｂ）および（ｃ）を用いて説明する。
【００４４】
まず、カートリッジロック状態Ｓ２から蹴り上げレバー１２２が図１に示す矢印Ｍ方向へ回動すると、図１０（ｂ）において蹴り上げレバー１２２は矢印Ｆ方向へ下がって行く。さらに蹴り上げレバー１２２が回動して、蹴り上げレバー１２２の蹴り上げ部１３０が蹴り出しレバー１１０のロックアーム部１１６を矢印Ｆ方向に通過すると、蹴り上げ部１３０は蹴り上げレバー１２２の弾性力によって矢印Ｂ方向に付勢され、蹴り上げレバー１２２は弾性変形した状態から復元してロックアーム部１１６の下側である矢印Ｆ方向に待機する。すると、図１０（ｃ）に示すように、ロック爪１１８とロックプレート１２０とは係合し、蹴り上げレバー１２２はロックアーム部１１６の下側である矢印Ｆ方向に待機した位置関係となる。すなわち、カートリッジホルダー１０１が第１の位置から第２の位置へ移動するとき、蹴り上げレバー１２２は、ロックアーム部１１６による当接が解除されることにより、弾性変形した状態から復元する。
【００４５】
以上のように、カートリッジ１４１がカートリッジホルダー１０１内に保持された状態で、カートリッジホルダー１０１がシャーシ１０２に対して図５に示す矢印Ｇ方向に回動してシャーシ１０２にロック部材（図示せず）によってロックされることによって、カートリッジホルダー１０１が第２の位置であって、蹴り出しレバー１１０が第２の状態であるカートリッジホルダー閉状態Ｓ３に移行し、カートリッジ１４１内のディスクをディスク駆動機構部（図示せず）で駆動して、ディスクに記録し、またはディスクを再生することができる。
【００４６】
次に、カートリッジホルダー閉状態Ｓ３からカートリッジ開放状態Ｓ１に移行するとき、つまりユーザーが、本発明の実施の形態１に係るディスク装置によるディスクの記録再生を終了して、カートリッジホルダー１０１内に収納されているカートリッジ１４１を取り出すときの、本発明の実施の形態１に係るディスク装置の動作について以下に説明する。
【００４７】
まず、カートリッジホルダー閉状態Ｓ３から、ユーザーは、ディスクへの記録またはディスクの再生を終了し、カートリッジホルダー１０１のロック部材（図示せず）によるロックを解除して、カートリッジホルダー１０１をシャーシ１０２に対して図５に示す矢印Ｈ方向に回動する。すなわち、カートリッジホルダー１０１を第２の位置から第１の位置に戻す。すると、カートリッジホルダー１０１が回動して第２の位置から第１の位置に戻るとき、蹴り上げレバー１２２の係合穴部１２５と係合しているカートリッジホルダー１０１の側面に設けられた係合突起部１２６は、蹴り上げレバー１２２の係合穴部１２５を矢印Ｅ方向に引き上げる。この動作によって蹴り上げレバー１２２は、ビス１２４を中心に、矢印Ｎ方向に回動する。すると、蹴り上げレバー１２２の回動により、蹴り上げレバー１２２の蹴り上げ部１３０がロックアーム部１１６を押し上げる。さらに、その押し上げにより、ロック爪１１８とロックプレート１２０との係合が解除されて、蹴り出しレバー１１０が、蹴り出しバネ１１２の付勢力により図５に示す矢印Ｉ方向に回動する。すると、蹴り出しレバー１１０の回動により、蹴り出しレバー１１０の先端の蹴り出し部１１４がカートリッジ１４１を蹴り出し、カートリッジホルダー１０１に収納されているカートリッジ１４１が排出される。その結果、本発明の実施の形態１に係るディスク装置の状態はカートリッジホルダー開放状態Ｓ１に戻り、ユーザーはカートリッジ１４１を本発明の実施の形態１に係るディスク装置から取り出すことができることとなる。
【００４８】
以下、本発明の実施の形態１に係るディスク装置がカートリッジホルダー閉状態Ｓ３からカートリッジ蹴り出し動作Ｓ４を経てカートリッジホルダー開放状態Ｓ１に移行するとき、すなわち、カートリッジホルダー１０１が回動して第２の位置から第１の位置に戻るときの、ロックアーム部１１６、ロック爪１１８、ロックプレート１２０および蹴り上げレバー１２２の動作について、図１０（ｃ）、（ｄ）および（ａ）を用いて説明する。
【００４９】
まず、図１０（ｃ）に示すカートリッジホルダー閉状態Ｓ３から、カートリッジホルダー１０１の回動に連動して蹴り上げレバー１２２が矢印Ｅ方向に移動する。すると、蹴り上げレバー１２２が蹴り出しレバー１１０のロックアーム部１１６を矢印Ｅ方向に押し上げる。この押し上げによって、ロック爪１１８も同時に押し上げられ、ロック爪１１８とロックプレート１２０との係合が解除される。そして、蹴り出しレバー１１０は蹴り出しバネ１１２によって図５に示す矢印Ｉ方向に付勢されているので、ロックアーム部１１６およびロック爪１１８は図１０（ｄ）に示す矢印Ｂ方向に移動する。そして、蹴り出しレバー１２２は図９に示す爪部１０６がストッパー部１０９に当接するまで回動するが、蹴り出しレバー１２２が停止する直前に、ロック爪１１８とロックプレート１２０との接触が解除され、ロックアーム部１１６の弾性力によってロックアーム部１１６が弾性変形した状態から復元し、ロックアーム部１１６の矢印Ｆ方向面とロックプレート１２０の矢印Ｅ方向面とが矢印Ｅ方向に対して概ね同一位置となる。その結果、蹴り出しレバー１２２が停止したとき、ロックアーム部１１６、ロック爪１１８、ロックプレート１２０および蹴り上げレバー１２２は図１０（ａ）に示す位置関係となる。
【００５０】
以上のように本実施の形態１によれば、本発明の実施の形態１に係るディスク装置は、カートリッジホルダー閉状態Ｓ３つまり蹴り出しレバー１１０が係止されている状態において、蹴り上げレバー１２２が蹴り出しレバー１１０の係止状態を解除し得る位置に待機し、カートリッジホルダー１０１が回動すると共に蹴り上げレバー１２２が連動することにより、蹴り出しレバー１１０の係止状態を解除することができる。その結果、簡単な構成でカートリッジ１４１の排出動作を実現することができる。
【００５１】
また、蹴り上げレバー１２２はロックアーム部１１６つまり蹴り出しレバー１１０の可動方向に対して弾性を有し、ロックアーム部１１６と当接しても蹴り上げレバー１２２は弾性変形するので、ロックアーム部１１６との当接によってロック爪１１８とロックプレート１２０との係合が阻害されることはない。加えて、ロックアーム部１１６と当接して弾性変形している状態（カートリッジロック状態Ｓ２）から蹴り上げレバー１２２が蹴り出しレバー１１０の係止状態を解除し得る位置に待機した状態（カートリッジホルダー閉状態Ｓ３）への移行の際には、蹴り上げレバー１２２の蹴り上げ部１３０がロックアーム部１１６の横の位置からロックアーム部１１６の下の位置に移動する必要があるが、その移動は蹴り上げレバー１２２自体の弾性力により実現されるので、蹴り上げレバー１２２に付勢力を加えるため別途バネ手段等を設ける必要がない。従って、バネ手段を省ける分だけ部品点数を少なくすることができる。
【００５２】
また、ロック爪１１８がロックプレート１２０に係合するため、またはロック爪１１８がロックプレート１２０から解除された後ロック爪１１８がロックプレート１２０と係合する前の位置に戻るためには、ロックアーム部１１６に蹴り上げレバー１２２の可動方向に対して付勢力を付加する必要があるが、ロックアーム部１１６は蹴り上げレバー１２２の可動方向に対して弾性を有するので、ロックアーム部１１６に特別のバネ手段を設ける必要がなく、この点でも部品点数を少なくすることができる。
【００５３】
以上により、蹴り上げレバー１２２が蹴り出しレバー１１０の可動方向に対して弾性を有し、ロックアーム部１１６が蹴り上げレバー１２２の可動方向に対して弾性を有するために、蹴り出しレバー１１０の係止および解除に必要な動作を、ロックアーム部１１６およびロック爪１１８が付設された蹴り出しレバー１１０、ロックプレート１２０並びに蹴り上げレバー１２２で実現することができる。
【００５４】
すなわち、カートリッジホルダー１に収納されたカートリッジ４１を排出するという動作を保ちつつ、部品の点数を削減することができる。また、部品点数が少ないので、各部品の取り付けについて信頼性が高く、ディスク装置の動作の信頼性を向上させることができる。加えて、部品点数が少ないので、ディスク装置の低コスト化が図れる。
【００５５】
また、カートリッジホルダー１０１上に蹴り出しレバー１１０を設けることによってカートリッジ１４１の移動方向と蹴り出しレバー１１０の回動方向が同一平面上になるので、蹴り出しレバー１１０をこじることなくカートリッジ１４１の収納および排出がスムースであるという優れた効果が得られる。
【００５６】
【発明の効果】
以上のように本発明は、カートリッジ保持手段に収納されたカートリッジを排出するという動作を保ちつつ、ディスク装置に設けられる部品の点数を削減するという優れた効果が得られる。また、部品点数の削減を通じて、ディスク装置の動作の信頼性を向上させ、またディスク装置の低コスト化を図ることもできる。
【図面の簡単な説明】
【図１】本発明の実施の形態１におけるディスク装置のカートリッジホルダーの開放状態を示す斜視図
【図２】同ディスク装置のカートリッジホルダーの開放状態を示す平面図
【図３】同ディスク装置のカートリッジホルダーの開放状態を示す正面図
【図４】
同ディスク装置のカートリッジホルダーの開放状態を示す側面図
【図５】同ディスク装置のカートリッジを収納した状態を示す斜視図
【図６】同ディスク装置のカートリッジを収納した状態を示す平面図
【図７】同ディスク装置のカートリッジを収納した状態を示す正面図
【図８】同ディスク装置のカートリッジを収納した状態を示す側面図
【図９】同ディスク装置のカートリッジホルダー、蹴り出しレバーおよび蹴り上げレバーを示す分解斜視図
【図１０】同ディスク装置を示す模式図
【図１１】本発明の実施の形態１のディスク装置および従来のディスク装置の状態遷移を示すブロック図
【符号の説明】
１０１　カートリッジホルダー
１０２　シャーシ
１１０　蹴り出しレバー
１１２　蹴り出しバネ
１１６　ロックアーム部
１１８　ロック爪
１２０　ロックプレート
１２２　蹴り上げレバー
１４１　カートリッジ
【図１】
2004062983.tif 000003
【図２】
2004062983.tif 000004
【図３】
2004062983.tif 000005
【図４】
2004062983.tif 000006
【図５】
2004062983.tif 000007
【図６】
2004062983.tif 000008
【図７】
2004062983.tif 000009
【図８】
2004062983.tif 000010
【図９】
2004062983.tif 000011
【図１０】
2004062983.tif 000012
【図１１】
2004062983.tif 000013